(57)【要約】【課題】  構造の簡素化を確保した上で動作の信頼性の向上を図る。【解決手段】  電子機器の筐体に形成されたキー配置孔に一部が挿入されて配置され操作時に初期位置を基準として所定の方向へ移動可能とされたキートップと、キートップに取り付けられた可動側マグネットと、可動側マグネットに対向した状態で固定され可動側マグネットとの間で発生する吸着力によってキートップに対して初期位置に移動させる方向への力を付与する磁性体と、可動側マグネットによって発生する磁界によりキートップの移動状態を検出するホール素子と、ホール素子が搭載された回路基板とを設けた。【選択図】        図３
2013033705.tif 000002
【特許請求の範囲】
【請求項１】
電子機器の筐体に形成されたキー配置孔に一部が挿入されて配置され操作時に初期位置を
基準として所定の方向へ移動可能とされたキートップと、
前記キートップに取り付けられた可動側マグネットと、
前記可動側マグネットに対向した状態で固定され前記可動側マグネットとの間で発生す
る吸着力によって前記キートップに対して前記初期位置に移動させる方向への力を付与す
る磁性体と、
前記可動側マグネットによって発生する磁界により前記キートップの移動状態を検出す
るホール素子と、
前記ホール素子が搭載された回路基板とを備えた
操作装置。
【請求項２】
前記磁性体に前記ホール素子が接続される回路パターンが形成され、
前記磁性体が前記回路基板として設けられた
請求項１に記載の操作装置。
【請求項３】
前記キー配置孔の軸方向に直交する面内において離隔して位置され前記キートップと前記
磁性体の間で転動可能な複数の球体が配置され、
前記キートップが前記複数の球体に押し付けられた状態で前記所定の方向へ移動され、
前記複数の球体が前記キートップの移動に伴って転動されるようにした
請求項１に記載の操作装置。
【請求項４】
前記キートップ側に開口され前記複数の球体がそれぞれ配置される配置用凹部が形成され
た
請求項３に記載の操作装置。
【請求項５】
前記球体が磁性材料によって形成され、
前記球体を前記配置用凹部に位置決めする位置決め用マグネットが設けられた
請求項４に記載の操作装置。
【請求項６】
前記複数の球体及び前記位置決め用マグネットが前記直交する面内において前記可動側マ
グネット及び前記磁性体の外側又は内側に配置された
請求項５に記載の操作装置。
【請求項７】
前記磁性体が前記回路基板に取り付けられ、
前記磁性体に素子配置孔が形成され、
前記素子配置孔に前記ホール素子が配置された
請求項１に記載の操作装置。
【請求項８】
前記キートップに前記球体側に開口された挿入用凹部が形成され、
前記配置用凹部に前記球体の少なくとも一部が挿入された
請求項３に記載の操作装置。
【請求項９】
前記回路基板の一部が、前記球体が配置される球体用配置部として形成され、
前記球体用配置部に同心円状のパターンが形成された
請求項３に記載の操作装置。
【請求項１０】
前記キートップが前記キー配置孔の軸方向に直交する方向へ移動可能とされた被操作体と
前記被操作体に前記キー配置孔の軸方向へ移動可能に支持された被押圧操作部とによって
構成され、
前記被押圧操作部は操作が行われないときの非操作位置と操作されて所定の処理が実行
されるときの操作位置との間で移動され、
前記被押圧操作部が押圧されて前記操作位置に移動されたときに前記被操作体が操作さ
れたときに実行される処理と異なる処理が実行されるようにした
請求項１に記載の操作装置。
【請求項１１】
前記回路基板上に複数の接続端子が形成され、
前記回路基板上に導電性を有する板バネが配置され、
前記被押圧操作部が操作されたときに前記板バネが弾性変形されて前記複数の接続端子
に接触され前記板バネを介して前記複数の接続端子同士の接続が行われ、
前記被押圧操作部に対する操作が解除されたときに前記板バネが弾性復帰されて前記複
数の接続端子同士の接続が解除されると共に前記板バネによって前記被押圧操作部が前記
非操作位置に移動されるようにした
請求項１０に記載の操作装置。
【請求項１２】
前記磁性体が前記回路基板に取り付けられ、
前記磁性体にバネ配置孔が形成され、
前記バネ配置孔に前記板バネが配置された
請求項１１に記載の操作装置。
【請求項１３】
前記磁性体に前記可動側マグネット側へ突出された凸部が設けられ、
前記可動側マグネットのＮ極とＳ極が前記可動側マグネットと前記磁性体が並ぶ方向と同じ方向に着磁された
請求項１に記載の操作装置。
【請求項１４】
前記可動側マグネットと前記磁性体を円環状に形成した
請求項１に記載の操作装置。
【請求項１５】
前記可動側マグネットは異なる極が周方向において交互に着磁され、
前記磁性体として異なる極が周方向において交互に着磁されたマグネットを用いた
請求項１に記載の操作装置。
【請求項１６】
キー配置孔が形成された筐体と、
前記キー配置孔に一部が挿入されて配置され操作時に初期位置を基準として所定の方向
へ移動可能とされたキートップと、
前記キートップに取り付けられた可動側マグネットと、
前記可動側マグネットに対向した状態で固定され前記可動側マグネットとの間で発生す
る吸着力によって前記キートップに対して前記初期位置に移動させる方向への力を付与す
る磁性体と、
前記可動側マグネットによって発生する磁界により前記キートップの移動状態を検出す
るホール素子と、
前記ホール素子が搭載された回路基板とを備えた
電子機器。
【発明の詳細な説明】
【技術分野】
【０００１】
本技術は操作装置及び電子機器についての技術分野に関する。詳しくは、可動側マグネットが取り付けられたキートップとキートップに所定の方向へ移動させる力を付与する磁性体とキートップの移動状態を検出するホール素子とを設けて構造の簡素化を確保した上で動作の信頼性の向上を図る技術分野に関する。
【背景技術】
【０００２】
記録再生装置、音声記録再生装置、音響装置、撮像装置、ネットワーク通信装置、パーソナルコンピューターやＰＤＡ（Personal Digital Assistant）等の情報処理装置、リモートコントロール装置等の各種の電子機器には、所定の操作を行うための操作装置が設けられている。
【０００３】
操作装置には、例えば、キートップ（操作体）とキートップに取り付けられたマグネットとを有し、キートップが操作されたときにセンサーによってキートップの移動状態が検出されて操作に応じた処理が実行されるように構成されたものがある（例えば、特許文献１参照）。
【０００４】
特許文献１に記載された操作装置においては、キートップに円環状の部分（鍔状部）が設けられ、この鍔状部の外周側に両端部が連結されてリング状に形成されたコイルバネが配置されている。キートップは操作前においては初期位置にあり、操作されて鍔状部の放射方向へ移動されると、コイルバネが弾性変形されコイルバネからキートップに対して初期位置へ移動させる方向への付勢力が付与される。
【０００５】
従って、キートップに対する操作が終了すると、キートップがコイルバネの付勢力によって移動されて初期位置に戻る。
【０００６】
このようにキートップが初期位置を基準として操作されて移動されるため、センサーの検出が初期位置を基準として行われ、検出動作の信頼性が向上し、キートップの操作に応じた適正な処理が実行される。
【０００７】
【特許文献１】特開２０１０−１５３１９９号公報
【発明の開示】
【発明が解決しようとする課題】
【０００８】
ところが、特許文献１に記載された操作装置にあっては、キートップを初期位置に戻すための手段としてコイルバネが用いられているため、経年変化等によって付勢力が低減すると、キートップを初期位置に確実に戻すことができなくなり、動作の信頼性を低下させるおそれがある。
【０００９】
また、コイルバネは両端部が連結されてリング状に形成されているため、キートップが移動されてコイルバネが変形されたときや外部からの振動等によって連結状態が解除されるおそれもあり、このような場合には操作装置の動作不良が生じてしまう。
【００１０】
一方、操作装置においては、コストの低減や小型化を図るために、構造の簡素化が図られることが望ましい。
【００１１】
そこで、本技術操作装置及び電子機器は、上記した問題点を克服し、構造の簡素化を確保した上で動作の信頼性の向上を図ることを課題とする。
【課題を解決するための手段】
【００１２】
操作装置は、上記した課題を解決するために、第１に、電子機器の筐体に形成されたキー配置孔に一部が挿入されて配置され操作時に初期位置を基準として所定の方向へ移動可能とされたキートップと、前記キートップに取り付けられた可動側マグネットと、前記可動側マグネットに対向した状態で固定され前記可動側マグネットとの間で発生する吸着力によって前記キートップに対して前記初期位置に移動させる方向への力を付与する磁性体と、前記可動側マグネットによって発生する磁界により前記キートップの移動状態を検出するホール素子と、前記ホール素子が搭載された回路基板とを備えたものである。
【００１３】
従って、操作装置にあっては、キートップが操作されたときにホール素子によってキートップの移動状態が検出されキートップに対する操作が終了されたときに磁性体から付与される力によりキートップが初期位置に移動される。
【００１４】
上記した操作装置においては、第２に、前記磁性体に前記ホール素子が接続される回路パターンが形成され、前記磁性体が前記回路基板として設けられることが望ましい。
【００１５】
磁性体にホール素子が接続される回路パターンが形成され、磁性体が回路基板として設けられることにより、磁性体にホール素子が搭載される。
【００１６】
上記した操作装置においては、第３に、前記キー配置孔の軸方向に直交する面内において離隔して位置され前記キートップと前記磁性体の間で転動可能な複数の球体が配置され、前記キートップが前記複数の球体に押し付けられた状態で前記所定の方向へ移動され、前記複数の球体が前記キートップの移動に伴って転動されることが望ましい。
【００１７】
キー配置孔の軸方向に直交する面内において離隔して位置されキートップと磁性体の間で転動可能な複数の球体が配置され、キートップが複数の球体に押し付けられた状態で所定の方向へ移動され、複数の球体がキートップの移動に伴って転動されることにより、球体との間の摩擦力が小さい状態でキートップが移動される。
【００１８】
上記した操作装置においては、第４に、前記キートップ側に開口され前記複数の球体がそれぞれ配置される配置用凹部が形成されることが望ましい。
【００１９】
キートップ側に開口され複数の球体がそれぞれ配置される配置用凹部が形成されることにより、球体の移動が配置用凹部によって規制される。
【００２０】
上記した操作装置においては、第５に、前記球体が磁性材料によって形成され、前記球体を前記配置用凹部に位置決めする位置決め用マグネットが設けられることが望ましい。
【００２１】
球体が磁性材料によって形成され、球体を配置用凹部に位置決めする位置決め用マグネットが設けられることにより、球体が位置決め用マグネットに吸引された状態で転動される。
【００２２】
上記した操作装置においては、第６に、前記複数の球体及び前記位置決め用マグネットが前記直交する面内において前記可動側マグネット及び前記磁性体の外側又は内側に配置されることが望ましい。
【００２３】
複数の球体及び位置決め用マグネットが直交する面内において可動側マグネット及び磁性体の外側又は内側に配置されることにより、可動側マグネットと磁性体の間に発生する磁界に対して位置決め用マグネットによって発生する磁界の影響が小さい。
【００２４】
上記した操作装置においては、第７に、前記磁性体が前記回路基板に取り付けられ、前記磁性体に素子配置孔が形成され、前記素子配置孔に前記ホール素子が配置されることが望ましい。
【００２５】
磁性体が回路基板に取り付けられ、磁性体に素子配置孔が形成され、素子配置孔にホール素子が配置されることにより、ホール素子と磁性体が干渉しない。
【００２６】
上記した操作装置においては、第８に、前記キートップに前記球体側に開口された挿入用凹部が形成され、前記配置用凹部に前記球体の少なくとも一部が挿入されることが望ましい。
【００２７】
キートップに球体側に開口された挿入用凹部が形成され、配置用凹部に球体の少なくとも一部が挿入されることにより、挿入用凹部の深さ分だけキートップが回路基板に近付いて位置される。
【００２８】
上記した操作装置においては、第９に、前記回路基板の一部が、前記球体が配置される球体用配置部として形成され、前記球体用配置部に同心円状のパターンが形成されることが望ましい。
【００２９】
回路基板の一部が、球体が配置される球体用配置部として形成され、球体用配置部に同心円状のパターンが形成されることにより、球体が球体用配置部において転動されたときに、操作者に球体及びキートップを介して操作感が伝達される。
【００３０】
上記した操作装置においては、第１０に、前記キートップが前記キー配置孔の軸方向に直交する方向へ移動可能とされた被操作体と前記被操作体に前記キー配置孔の軸方向へ移動可能に支持された被押圧操作部とによって構成され、前記被押圧操作部は操作が行われないときの非操作位置と操作されて所定の処理が実行されるときの操作位置との間で移動され、前記被押圧操作部が押圧されて前記操作位置に移動されたときに前記被操作体が操作されたときに実行される処理と異なる処理が実行されることが望ましい。
【００３１】
被押圧操作部が非操作位置と操作位置の間で移動され、被押圧操作部が押圧されて操作位置に移動されたときに被操作体が操作されたときに実行される処理と異なる処理が実行されることにより、キートップの異なる部分に対する操作に応じて異なる処理が実行される。
【００３２】
上記した操作装置においては、第１１に、前記回路基板上に複数の接続端子が形成され、前記回路基板上に導電性を有する板バネが配置され、前記被押圧操作部が操作されたときに前記板バネが弾性変形されて前記複数の接続端子に接触され前記板バネを介して前記複数の接続端子同士の接続が行われ、前記被押圧操作部に対する操作が解除されたときに前記板バネが弾性復帰されて前記複数の接続端子同士の接続が解除されると共に前記板バネによって前記被押圧操作部が前記非操作位置に移動されることが望ましい。
【００３３】
板バネが弾性変形されて複数の接続端子に接触され板バネを介して複数の接続端子同士の接続が行われ、板バネが弾性復帰されて被押圧操作部が非操作位置に移動されることにより、板バネによって複数の接続端子の接続と被押圧操作部の非操作位置への移動が行われる。
【００３４】
上記した操作装置においては、第１２に、前記磁性体が前記回路基板に取り付けられ、前記磁性体にバネ配置孔が形成され、前記バネ配置孔に前記板バネが配置されることが望ましい。
【００３５】
磁性体が回路基板に取り付けられ、磁性体にバネ配置孔が形成され、バネ配置孔に板バネが配置されることにより、板バネと磁性体が干渉しない。
【００３６】
上記した操作装置においては、第１３に、前記磁性体に前記可動側マグネット側へ突出された凸部が設けられ、前記可動側マグネットのＮ極とＳ極が前記可動側マグネットと前記磁性体が並ぶ方向と同じ方向に着磁されることが望ましい。
【００３７】
磁性体に可動側マグネット側へ突出された凸部が設けられ、可動側マグネットのＮ極とＳ極が可動マグネットと磁性体が並ぶ方向と同じ方向に着磁されることにより、可動側マグネットの中心部が凸部に最も接近する方向への力が可動側マグネットに付与される。
【００３８】
上記した操作装置においては、第１４に、前記可動側マグネットと前記磁性体を円環状に形成することが望ましい。
【００３９】
可動側マグネットと磁性体を円環状に形成することにより、可動側マグネットと磁性体の内側に配置スペースが確保される。
【００４０】
上記した操作装置においては、第１５に、前記可動側マグネットは異なる極が周方向において交互に着磁され、前記磁性体として異なる極が周方向において交互に着磁されたマグネットを用いることが望ましい。
【００４１】
可動側マグネットは異なる極が周方向において交互に着磁され、磁性体として異なる極が周方向において交互に着磁されたマグネットを用いることにより、可動側マグネットと磁性体の間の吸着性が高くなる。
【００４２】
本技術電子機器は、キー配置孔が形成された筐体と、前記キー配置孔に一部が挿入されて配置され操作時に初期位置を基準として所定の方向へ移動可能とされたキートップと、前記キートップに取り付けられた可動側マグネットと、前記可動側マグネットに対向した状態で固定され前記可動側マグネットとの間で発生する吸着力によって前記キートップに対して前記初期位置に移動させる方向への力を付与する磁性体と、前記可動側マグネットによって発生する磁界により前記キートップの移動状態を検出するホール素子と、前記ホール素子が搭載された回路基板とを備えている。
【００４３】
従って、電子機器にあっては、キートップが操作されたときにホール素子によってキートップの移動状態が検出されキートップに対する操作が終了されたときに磁性体から付与される力によりキートップが初期位置に移動される。
【発明の効果】
【００４４】
本技術操作装置は、電子機器の筐体に形成されたキー配置孔に一部が挿入されて配置され操作時に初期位置を基準として所定の方向へ移動可能とされたキートップと、前記キートップに取り付けられた可動側マグネットと、前記可動側マグネットに対向した状態で固定され前記可動側マグネットとの間で発生する吸着力によって前記キートップに対して前記初期位置に移動させる方向への力を付与する磁性体と、前記可動側マグネットによって発生する磁界により前記キートップの移動状態を検出するホール素子と、前記ホール素子が搭載された回路基板とを備えている。
【００４５】
従って、キートップに対する操作が終了したときにキートップを初期位置に確実に戻すことができ、構造の簡素化を確保した上で動作の信頼性の向上を図ることができる。
【００４６】
請求項２に記載した技術にあっては、前記磁性体に前記ホール素子が接続される回路パターンが形成され、前記磁性体が前記回路基板として設けられている。
【００４７】
従って、部品点数が少なく、小型化及び構造の簡素化を図ることができる。
【００４８】
請求項３に記載した技術にあっては、前記キー配置孔の軸方向に直交する面内において離隔して位置され前記キートップと前記磁性体の間で転動可能な複数の球体が配置され、前記キートップが前記複数の球体に押し付けられた状態で前記所定の方向へ移動され、前記複数の球体が前記キートップの移動に伴って転動されるようにしている。
【００４９】
従って、キートップに対する操作が行われたときにキートップが円滑に移動され、操作性の向上を図ることができる。
【００５０】
請求項４に記載した技術にあっては、前記キートップ側に開口され前記複数の球体がそれぞれ配置される配置用凹部が形成されている。
【００５１】
従って、球体が配置用凹部によって必要以上の移動が規制されるため、球体のキートップとの接触状態が解除されることがなく、キートップの良好な操作性を常に確保することができる。
【００５２】
請求項５に記載した技術にあっては、前記球体が磁性材料によって形成され、前記球体を前記配置用凹部に位置決めする位置決め用マグネットが設けられている。
【００５３】
従って、球体がキートップに対する操作とは無関係に転動されることがなく、キートップの操作時に常に一定の操作感が確保され操作性の向上を図ることができる。
【００５４】
請求項６に記載した技術にあっては、前記複数の球体及び前記位置決め用マグネットが前記直交する面内において前記可動側マグネット及び前記磁性体の外側又は内側に配置されている。
【００５５】
従って、可動側マグネットと磁性体の間に発生する磁界に対して位置決め用マグネットによって発生する磁界の影響が小さく、位置決め用マグネットが磁性体に対する可動側マグネットに対する吸着力に及ぼす影響が小さいため、磁性体の可動側マグネットに対する吸着動作の信頼性の向上を図ることができる。
【００５６】
請求項７に記載した技術にあっては、前記磁性体が前記回路基板に取り付けられ、前記磁性体に素子配置孔が形成され、前記素子配置孔に前記ホール素子が配置されている。
【００５７】
従って、操作装置の構造の簡素化及び薄型化を図ることができる。
【００５８】
請求項８に記載した技術にあっては、前記キートップに前記球体側に開口された挿入用凹部が形成され、前記配置用凹部に前記球体の少なくとも一部が挿入されている。
【００５９】
従って、挿入用凹部の深さ分だけキートップを回路基板に近付けることが可能になり、操作装置の一層の薄型化を図ることができる。
【００６０】
請求項９に記載した技術にあっては、前記回路基板の一部が、前記球体が配置される球体用配置部として形成され、前記球体用配置部に同心円状のパターンが形成されている。
【００６１】
従って、操作者に球体及びキートップを介して操作感が伝達され、操作者において良好な操作感覚を得ることができる。
【００６２】
請求項１０に記載した技術にあっては、前記キートップが前記キー配置孔の軸方向に直交する方向へ移動可能とされた被操作体と前記被操作体に前記キー配置孔の軸方向へ移動可能に支持された被押圧操作部とによって構成され、前記被押圧操作部は操作が行われないときの非操作位置と操作されて所定の処理が実行されるときの操作位置との間で移動され、前記被押圧操作部が押圧されて前記操作位置に移動されたときに前記被操作体が操作されたときに実行される処理と異なる処理が実行されるようにしている。
【００６３】
従って、キートップにおける被操作体による操作と被押圧操作部による操作に応じた異なる処理が実行されるため、操作装置の小型化を図った上で操作性の向上を図ることができる。
【００６４】
請求項１１に記載した技術にあっては、前記回路基板上に複数の接続端子が形成され、前記回路基板上に導電性を有する板バネが配置され、前記被押圧操作部が操作されたときに前記板バネが弾性変形されて前記複数の接続端子に接触され前記板バネを介して前記複数の接続端子同士の接続が行われ、前記被押圧操作部に対する操作が解除されたときに前記板バネが弾性復帰されて前記複数の接続端子同士の接続が解除されると共に前記板バネによって前記被押圧操作部が前記非操作位置に移動されるようにしている。
【００６５】
従って、板バネが複数の接続端子の接続機能と被押圧操作部を非操作位置に移動させる
機能の二つの機能を有しているため、部品点数の削減を図った上で簡素な機構により被押
圧操作部の良好な操作状態を確保することができる。
【００６６】
請求項１２に記載した技術にあっては、前記磁性体が前記回路基板に取り付けられ、前
記磁性体にバネ配置孔が形成され、前記バネ配置孔に前記板バネが配置されている。
【００６７】
従って、操作装置の構造の簡素化及び薄型化を図ることができる。
【００６８】
請求項１３に記載した技術にあっては、前記磁性体に前記可動側マグネット側へ突出された凸部が設けられ、前記可動側マグネットのＮ極とＳ極が前記可動側マグネットと前記磁性体が並ぶ方向と同じ方向に着磁されている。
【００６９】
従って、キートップに対する操作を解除したときにキートップを操作前の元の位置に確実に戻すことができる。
【００７０】
請求項１４に記載した技術にあっては、前記可動側マグネットと前記磁性体を円環状に
形成している。
【００７１】
従って、可動側マグネットと磁性体の間の良好な吸着性を確保した上で操作装置の小型
化及び構造の簡素化を図ることができる。
【００７２】
請求項１５に記載した技術にあっては、前記可動側マグネットは異なる極が周方向にお
いて交互に着磁され、前記磁性体として異なる極が周方向において交互に着磁されたマグ
ネットを用いている。
【００７３】
従って、可動側マグネットと磁性体を簡素な構造にして小型化を図った上で初期位置へ
の安定した移動状態を確保して操作装置の動作の信頼性の向上を図ることができる。
【００７４】
本技術電子機器は、キー配置孔が形成された筐体と、前記キー配置孔に一部が挿入され
て配置され操作時に初期位置を基準として所定の方向へ移動可能とされたキートップと、
前記キートップに取り付けられた可動側マグネットと、前記可動側マグネットに対向した
状態で固定され前記可動側マグネットとの間で発生する吸着力によって前記キートップに
対して前記初期位置に移動させる方向への力を付与する磁性体と、前記可動側マグネット
によって発生する磁界により前記キートップの移動状態を検出するホール素子と、前記ホ
ール素子が搭載された回路基板とを備えている。
【００７５】
従って、キートップに対する操作が終了したときにキートップを初期位置に確実に戻す
ことができ、構造の簡素化を確保した上で動作の信頼性の向上を図ることができる。
【発明を実施するための最良の形態】
【００７６】
以下に、本技術操作装置及び電子機器を実施するための最良の形態を添付図面に従って
説明する。
【００７７】
以下に示した最良の形態は、本技術電子機器をリモートコントロール装置に適用し、本
技術操作装置をこのリモートコントロール装置に設けられた操作装置に適用したものであ
る。
【００７８】
但し、本技術の適用範囲はリモートコントロール装置及びこれに設けられた操作装置に
限られることはない。本技術電子機器は、ディスク記録再生装置等の記録媒体を用いる記
録再生装置、音声の記録や再生を行う音声記録再生装置、画像や映像を撮影する撮像装置
、一方向又は双方向の送受信を行うネットワーク通信装置、パーソナルコンピューターや
ＰＤＡ（Personal Digital Assistant）等の情報処理装置等の他の各種の電子機器に広く
適用することができる。また、本技術操作装置は、これらの各種の電子機器に設けられた
操作装置に広く適用することができる。
【００７９】
以下の説明にあっては、リモートコントロール装置の操作面が向く方向を上方とし、リ
モートコントロール装置によって操作する方向を前方として前後上下左右の方向を示すも
のとする。尚、以下に示す前後上下左右の方向は説明の便宜上のものであり、本技術の実
施に関しては、これらの方向に限定されることはない。
【００８０】
［電子機器の概略構成］
電子機器（リモートコントロール装置）１は前後に長い扁平な筐体２に所要の各部が配
置されて成る（図１参照）。電子機器１は、例えば、テレビジョン受像器に対する赤外光
を用いた遠隔操作を行うために用いられる。
【００８１】
筐体２の上面は各種の操作部３、３、・・・が配置された操作面２ａとして形成されて
いる。操作部３、３、・・・としては、例えば、チャンネル選定釦、音量調節摘子、画面
モード変更釦、機能選択釦等が設けられている。
【００８２】
筐体２の操作面２ａには上下に貫通されたキー配置孔２ｂが形成されている。操作面２
ａにはキー配置孔２ｂの周囲に操作キー４が配置されている。操作キー４は、例えば、前
後左右の４方向への操作が可能とされ、例えば、テレビジョン受像器の表示面において再
生される画像の早送り、巻き戻しやサムネイル間の移動等を行う機能を有している。
【００８３】
尚、テレビジョン受像器は、例えば、インターネット接続を介して番組の視聴が可能な
所謂インターネットテレビであり、表示画面上にアイコンや矢印（カーソル）が表示され
、表示画面上で矢印をアイコン上に移動させてクリックすることによりクリックされたア
イコンが有する機能を実行することが可能とされている。
【００８４】
［操作装置の構成］
操作装置５０は回路基板１０の上面１０ａと下面１０ｂの両面側に所要の各部が配置さ
れて構成され、筐体２のキー配置孔２ａに一部が挿入されて配置されている（図２乃至図
４参照）。
【００８５】
回路基板１０は筐体２の内部に配置され、回路基板１０には図示しない回路パターンが
形成されている。回路基板１０の上面１０ａには図示しない複数の接続端子が形成されて
いる。
【００８６】
操作装置５０はハウジング１１とキートップ１２と磁性体１３を有している。
【００８７】
ハウジング１１は略円環状に形成され、回路基板１０の上面１０ａに取り付けられてい
る。ハウジング１１の中心孔はバネ配置孔１１ａとして形成されている。ハウジング１１
が回路基板１０の上面１０ａに取り付けられた状態において、バネ配置孔１１ａの外周部
に回路基板１０の上面１０ａに形成された複数の接続端子が位置される。
【００８８】
ハウジング１１の外周部には上方に開口された配置用凹部１１ｂ、１１ｂ、１１ｂが形
成され、配置用凹部１１ｂ、１１ｂ、１１ｂは周方向に等間隔に離隔して位置されている
。ハウジング１１の内周部には上下に貫通された素子配置孔１１ｃ、１１ｃ、１１ｃが形
成され、素子配置孔１１ｃ、１１ｃ、１１ｃは周方向に等間隔に離隔して位置されている
。
【００８９】
配置用凹部１１ｂ、１１ｂ、１１ｂと素子配置孔１１ｃ、１１ｃ、１１ｃは周方向にお
いてずれた位置に形成され、配置用凹部１１ｂ、１１ｂ、１１ｂと素子配置孔１１ｃ、１
１ｃ、１１ｃは周方向において交互に等間隔に位置されている（図４参照）。
【００９０】
ハウジング１１の外周部には配置用凹部１１ｂ、１１ｂ、１１ｂの真下の位置にそれぞ
れ取付凹部１１ｄ、１１ｄ、１１ｄが形成され、取付凹部１１ｄ、１１ｄ、１１ｄは下方
及び外方に開口されている（図２乃至図４参照）。
【００９１】
ハウジング１１のバネ配置孔１１ａには板バネ１４が配置されている。板バネ１４は導
電性を有する材料によって形成され、外周部以外の部分が上方に凸の略半球面上に形成さ
れた弾性変形部１４ａとして設けられ、外周部が略リング状に形成された接続部１４ｂと
して設けられている。
【００９２】
板バネ１４の弾性変形部１４ａが弾性変形されない状態においては接続部１４ｂが回路
基板１０に形成された接続端子に接触されておらず、弾性変形部１４ａが弾性変形される
と接続部１４ｂが複数の接続端子に接触されて各接続端子同士が板バネ１４によって接続
される。
【００９３】
ハウジング１１の配置用凹部１１ｂ、１１ｂ、１１ｂにはそれぞれ磁性材料によって形
成された球体１５、１５、１５が転動可能な状態で配置されている。球体１５は配置用凹
部１１ｂにおいて転動されて任意の方向へ移動可能とされており、一部が配置用凹部１１
ｂから上方へ突出されている（図３参照）。
【００９４】
ハウジング１１の素子配置孔１１ｃ、１１ｃ、１１ｃにはそれぞれホール素子１６、１
６、１６が配置されている（図２乃至図４参照）。ホール素子１６は回路基板１０に形成
された回路パターン上に搭載され、ホール素子１６には回路基板１０を介して図示しない
電源回路から駆動電流が供給される。
【００９５】
ハウジング１１の取付凹部１１ｄ、１１ｄ、１１ｄにはそれぞれ位置決め用マグネット
１７、１７、１７が取り付けられている。位置決め用マグネット１７は板状に形成され、
球体１５を吸引する機能を有している。従って、球体１５は位置決め用マグネット１７に
よって配置用凹部１１ｂからの脱落が防止されると共に配置用凹部１１ｂの中央部に引き
寄せられる。
【００９６】
キートップ１２は被操作体１８と被操作体１８に上下方向へ移動自在に支持された被押
圧操作部１９とから成る。
【００９７】
被操作体１８は上側に位置する円柱状に形成された被操作部２０と被操作部２０の下側
に連続して設けられた円板状のマグネット取付部２１とから成り、被操作部２０とマグネ
ット取付部２１が同軸上に位置されている。被操作体１８の中心部には上下に貫通された
支持孔１８ａが形成されている。被操作部２０の径は筐体２に形成されたキー配置孔２ｂ
の径より一回り小さくされている。
【００９８】
マグネット取付部２１にはヨーク２２と可動側マグネット２３が上下に結合された状態
で取り付けられている。ヨーク２２と可動側マグネット２３はそれぞれ円環状に形成され
、マグネット取付部２１に埋め込まれた状態で取り付けられ、マグネット取付部２１の下
面２１ａと可動側マグネット２３の下面とが同一平面上に位置されている。
【００９９】
可動側マグネット２３は、例えば、上下方向においてＮ極とＳ極に着磁され、周方向に
おいて６極が着磁されている（図５参照）。可動側マグネット２３の周方向において極性
が変化する境界は中立線２３ａ、２３ａ、・・・とされている。
【０１００】
被押圧操作部１９は被操作軸部１９ａと被操作軸部１９ａの下端部から外方へ張り出さ
れた被規制部１９ｂとから成る（図２及び図３参照）。被押圧操作部１９は被操作体１８
の支持孔１８ａに下方から挿入され、被操作体１８に対して上下方向へ移動可能とされる
（図３参照）。被押圧操作部１９は操作される前の位置である非操作位置（上方の移動端
）と操作された位置である操作位置（下方の移動端）との間で被操作体１８に対して移動
可能とされている。
【０１０１】
被押圧操作部１９は被規制部１９ｂによって被操作体１８に対する上方への移動が規制
されている。被押圧操作部１９は被操作体１８に支持された状態において、上端部が被操
作体１８から上方へ突出されている。
【０１０２】
キートップ１２は被操作部２０が筐体２に形成されたキー配置孔２ｂに挿入されて配置
され、マグネット取付部２１が筐体２の内部に位置される。キートップ１２は被操作体１
８の下面２１ａが球体１５、１５、１５に上方から接した状態とされる。また、被押圧操
作部１９は下面が板バネ１４に接した状態とされる。
【０１０３】
磁性体１３は回路基板１０の下面１０ｂに取り付けられている。磁性体１３としてはマ
グネット又は鉄等の磁性材料が用いられている。磁性体１３は円環状に形成され、磁性体
１３の下面に円環状のヨーク部材２４が取り付けられている。
【０１０４】
磁性体１３としてマグネットが用いられている場合には、磁性体１３は、例えば、上下
方向においてＮ極とＳ極に着磁され、周方向において６極が着磁されている（図５参照）
。磁性体１３の周方向において極性が変化する境界は中立線１３ａ、１３ａ、・・・とさ
れている。
【０１０５】
上記した可動側マグネット２３と磁性体１３は上下方向において対向した位置に存在し
、球体１５、１５、１５の位置決めを行う位置決め用マグネット１７、１７、１７は可動
側マグネット２３と磁性体１３の外周側に位置されている。尚、位置決め用マグネット１
７、１７、１７は可動側マグネット２３と磁性体１３の内周側に位置されていてもよい。
【０１０６】
上記したように、可動側マグネット２３と磁性体１３は上下方向において対向した位置
に存在するため、両者の間には吸着力が発生する。磁性体１３は回路基板１０に取り付け
られて固定されているため、キートップ１２が操作されて移動されると吸着力によって可
動側マグネット２３が磁性体１３に引き寄せられる。従って、キートップ１２は下面２１
ａが球体１５、１５、１５に押し付けられ、球体１５、１５、１５は配置用凹部１１ｂ、
１１ｂ、１１ｂにおいてハウジング１１に押し付けられた状態とされる。
【０１０７】
このように可動側マグネット２３は磁性体１３に引き寄せられるが、このとき可動側マ
グネット２３は下側の極が磁性体１３の上側の異なる極に吸着（吸引）されるように引き
寄せられる。従って、可動側マグネット２３のＮ極とＳ極がそれぞれ磁性体１３のＳ極と
Ｎ極に引き寄せられ、可動側マグネット２３の中立線２３ａ、２３ａ、・・・が磁性体１
３の中立線１３ａ、１３ａ、・・・に上下で一致されるように可動側マグネット２３が磁
性体１３に引き寄せられる。
【０１０８】
上記したように、操作装置５０においては、可動側マグネット２３と磁性体１３が上下
で対向した状態で位置され、可動側マグネット２３が磁性体１３に引き寄せられる構成と
されているが、位置決め用マグネット１７、１７、１７が可動側マグネット２３と磁性体
１３の外周側又は内周側に位置されている。
【０１０９】
従って、可動側マグネット２３と磁性体１３の間に発生する磁界に対して位置決め用マ
グネット１７、１７、１７によって発生する磁界の影響が小さく、位置決め用マグネット
１７、１７、１７が磁性体１３に対する可動側マグネット２３に対する吸着力に及ぼす影
響が小さいため、磁性体１３の可動側マグネット２３に対する吸着動作の信頼性の向上を
図ることができる。
【０１１０】
磁性体１３が鉄等の磁性材料によって形成されている場合には、例えば、磁性体１３に
周方向に等間隔に離隔して孔１３ｂ、１３ｂ、・・・が形成される（図６参照）。磁性体
１３は孔１３ｂ、１３ｂ、・・・が形成された部分が他の部分より可動側マグネット２３
に対する吸着力が小さくなり、中立線２３ａ、２３ａ、・・・が孔１３ｂ、１３ｂ、・・
・に上下で一致されるように可動側マグネット２３が磁性体１３に引き寄せられる。
【０１１１】
尚、磁性体１３が鉄等の磁性材料によって形成されている場合に、部分的に可動側マグ
ネット２３に対する吸着力を小さくするために、磁性体１３に凹部を形成してもよい。
【０１１２】
また、磁性体１３が鉄等の磁性材料によって形成されている場合には、例えば、磁性体
１３に周方向に等間隔に離隔して外方又は内方へ突出された突部１３ｃ、１３ｃ、・・・
が設けられていてもよい（図７参照）。磁性体１３は突部１３ｃ、１３ｃ、・・・が設け
られた部分が他の部分より可動側マグネット２３に対する吸着力が大きくなり、中立線２
３ａ、２３ａ、・・・が突部１３ｃ、１３ｃ、・・・間の中央に上下で一致されるように
可動側マグネット２３が磁性体１３に引き寄せられる。
【０１１３】
尚、可動側マグネット２３と磁性体１３の関係においては、可動側マグネット２３の中
心と磁性体１３の中心（中央）とが一致される形状であれば両者は円環状に限られること
はなく、多角形状等であってもよく、また、両者の大きさも同一でなくてもよい。
【０１１４】
但し、上記したように、可動側マグネット２３と磁性体１３を何れも円環状に形成する
ことにより、可動側マグネット２３と磁性体１３の内側に他の部材を配置するための配置
スペースが確保され、両者の間の良好な吸着性を確保した上で操作装置５０の小型化及び
構造の簡素化を図ることができる。
【０１１５】
また、マグネット又は磁性材料が用いられた磁性体１３は一つの部材によって構成され
ていなくてもよく、例えば、図８に示すように、周方向において分離された複数の部材１
３ｄ、１３ｄ、・・・によって構成されていてもよい。
【０１１６】
さらに、図９に示すように、マグネット又は磁性材料が用いられた磁性体１３が一つの
部材によって構成され、可動側マグネット２３が周方向において分離された複数の部材２
３ｂ、２３ｂ、・・・によって構成されていてもよい。
【０１１７】
また、図１０に示すように、磁性体１３と可動側マグネット２３がそれぞれ周方向にお
いて分離された複数の部材１３ｄ、１３ｄ、・・・と複数の部材２３ｂ、２３ｂ、・・・
によって構成されていてもよい。
【０１１８】
さらに、上記には、可動側マグネット２３と磁性体１３の例として周方向において６極
に着磁された例を示したが、可動側マグネット２３と磁性体１３は６極に着磁されている
構成に限られることはなく、複数の極に着磁されていればよい。
【０１１９】
［操作装置の動作］
以下に、操作装置５０が操作されたときの動作について説明する（図３、図１１、図１
２及び図１３参照）。
【０１２０】
先ず、操作装置５０が操作される前の状態について説明する（図３参照）。
【０１２１】
操作装置５０が操作される前の状態においては、被操作体１８及び被押圧操作部１９が
操作されておらず、キートップ１２は初期位置にあり、被押圧操作部１９は上方の移動端
である非操作位置にある。
【０１２２】
初期位置は、可動側マグネット２３のＮ極とＳ極がそれぞれ磁性体１３のＳ極とＮ極に
引き寄せられ、可動側マグネット２３の中立線２３ａ、２３ａ、・・・が磁性体１３の中
立線１３ａ、１３ａ、・・・に上下で一致されるようにされた位置であり、可動側マグネ
ット２３の中心軸と磁性体１３の中心軸とが一致されている。このときホール素子１６、
１６、１６はそれぞれ上下で一致された中立線２３ａ、２３ａ、２３ａと中立線１３ａ、
１３ａ、１３ａの間に位置されている（図１１参照）。
【０１２３】
非操作位置にある被押圧操作部１９は下端が板バネ１４の中央に接した状態とされ、被
規制部１９ｂが被操作体１８の下面に接触されている。
【０１２４】
被操作体１８が手動により指１００によって操作されると、キートップ１２は放射方向
、即ち、初期位置を基準として被押圧操作部１９の軸方向に直交する方向へ移動される（
図１２参照）。被操作体１８が移動されるときにはキートップ１２の下面２１ａ及びハウ
ジング１１との間の摩擦力によって球体１５、１５、１５がそれぞれハウジング１１の配
置用凹部１１ｂ、１１ｂ、１１ｂにおいて転動又は摺動される。
【０１２５】
従って、被操作体１８に対する操作が行われたときにキートップ１２が円滑に移動され
、操作性の向上を図ることができる。
【０１２６】
また、球体１５、１５、１５は配置用凹部１１ｂ、１１ｂ、１１ｂによって必要以上の
移動が規制されているため、球体１５、１５、１５のキートップ１２との接触状態が解除
されることがなく、キートップ１２の良好な操作性を常に確保することができる。
【０１２７】
上記のように被操作体１８が操作されたときには、可動側マグネット２３がキートップ
１２と一体になって移動されるため、可動側マグネット２３と磁性体１３の間に形成され
る磁界が変化され、この磁界の変化に応じてホール素子１６、１６、１６の出力が変化さ
れる。従って、ホール素子１６、１６、１６の出力の変化により図示しない演算部（マイ
コン）において演算処理が行われ、被操作体１８の操作位置、被操作体１８の操作方向、
被操作体１８の移動速度等が検出される。
【０１２８】
このように被操作体１８が操作されたときには、上記した被操作体１８の操作位置や被
操作体の操作方向等の検出により、例えば、テレビジョン受像器の表示画面上に表示され
る矢印（カーソル）がキートップ１２の移動方向に応じた方向へ移動される。
【０１２９】
被操作体１８に対する操作が終了されて指１００が被操作体１８から離れると、可動側
マグネット２３と磁性体１３の間に発生している吸着力によって可動側マグネット２３が
磁性体１３に引き寄せられる。従って、キートップ１２は可動側マグネット２３の中立線
２３ａ、２３ａ、・・・が磁性体１３の中立線１３ａ、１３ａ、・・・に上下で一致され
る初期位置に戻る（図３参照）。
【０１３０】
このときキートップ１２の移動に伴って球体１５、１５、１５がそれぞれハウジング１
１の配置用凹部１１ｂ、１１ｂ、１１ｂにおいて転動又は摺動される。球体１５、１５、
１５はそれぞれ位置決め用マグネット１７、１７、１７によって配置用凹部１１ｂ、１１
ｂ、１１ｂの中央部に引き寄せられる。
【０１３１】
このように操作装置５０にあっては、球体１５、１５、１５を配置用凹部１１ｂ、１１
ｂ、１１ｂに位置決めする位置決め用マグネット１７、１７、１７が設けられているため
、球体１５、１５、１５が被操作体１８に対する操作とは無関係に転動されることがなく
、キートップ１２の操作時に常に一定の操作感が確保され操作性の向上を図ることができ
る。
【０１３２】
また、操作装置５０にあっては、可動側マグネット２３と磁性体１３は異なる極が周方
向において交互に着磁された構成にされている。
【０１３３】
従って、可動側マグネット２３と磁性体１３を簡素な構造にして小型化を図った上で初
期位置への安定した移動状態を確保して操作装置５０の動作の信頼性の向上を図ることが
できる。
【０１３４】
続いて、被押圧操作部１９が手動により指１００によって押圧操作されると、被押圧操
作部１９は下方へ移動される（図１３参照）。被押圧操作部１９が下方へ移動されると、
被押圧操作部１９によって板バネ１４の弾性変形部１４ａが押圧され、弾性変形部１４ａ
が弾性変形されて接続部１４ｂが回路基板１０に形成された複数の接続端子に接触されて
各接続端子同士が板バネ１４によって接続される。このとき被押圧操作部１９は操作位置
まで移動される。
【０１３５】
被押圧操作部１９の操作は、例えば、テレビジョン受像器の表示画面上に表示されたア
イコンに対するクリック操作であり、被押圧操作部１９が操作されることにより、テレビ
ジョン受像器の表示画面上で矢印が移動されたアイコンが有する機能が実行される。
【０１３６】
被押圧操作部１９に対する操作が終了されて指１００が被押圧操作部１９から離れると
、板バネ１４の弾性変形部１４ａが弾性復帰して被押圧操作部１９が上方へ移動されて操
作される前の元の位置である非操作位置に戻る（図３参照）。
【０１３７】
上記したように、操作装置５０のキートップ１２には操作位置に移動されたときに被操
作体１８の操作による処理と異なる処理が実行される被押圧操作部１９が被操作体１８に
移動自在に支持されている。
【０１３８】
従って、キートップ１２における被操作体１８による操作とキートップ１２における被
押圧操作部１９による操作に応じた異なる処理が実行されるため、操作装置５０の小型化
を図った上で操作性の向上を図ることができる。
【０１３９】
また、被押圧操作部１９が操作されたときに板バネ１４が弾性変形されて複数の接続端
子同士が接続され、被押圧操作部１９に対する操作が解除されたときに板バネ１４が弾性
復帰されて被押圧操作部１９が非操作位置に移動される。
【０１４０】
従って、板バネ１４が複数の接続端子の接続機能と被押圧操作部１９を非操作位置に移
動させる機能の二つの機能を有しているため、部品点数の削減を図った上で簡素な機構に
より被押圧操作部１９の良好な操作状態を確保することができる。
【０１４１】
［操作方向等が異なる例］
上記には、キートップ１２（被操作体１８）が操作時に放射方向へ移動される例を示し
たが、操作装置５０においては、以下のように放射方向とは異なる方向へキートップ１２
が移動されるように構成することも可能である（図１４乃至図２０参照）。
【０１４２】
例えば、キートップ１２が筐体２に形成されたキー配置孔２ｂの形状（円形状）に沿っ
て周方向へ移動されるように構成することが可能である（図１４参照）。このように構成
された場合には、キートップ１２の周方向における位置や移動方向等がホール素子１６、
１６、１６によって検出されてキートップ１２の操作に応じた所定の処理が実行され、例
えば、操作装置５０がエンコーダーとして機能する。
【０１４３】
また、キートップ１２が初期位置において回転されるように構成することが可能である
（図１５参照）。このように構成された場合には、キートップ１２の回転方向や回転角度
等がホール素子１６、１６、１６によって検出されてキートップ１２の操作に応じた所定
の処理が実行され、例えば、操作装置５０がエンコーダーとして機能する。
【０１４４】
さらに、キー配置孔２ｂが円形以外の他の形状、例えば、三角形（図１６参照）や四角
形（図１７参照）に形成された場合において、キートップ１２が水平方向において任意の
方向へ移動されるように構成することが可能である。このように構成された場合には、キートップ１２の移動位置や移動方向等がホール素子１６、１６、１６によって検出されてキートップ１２の操作に応じた所定の処理が実行される。
【０１４５】
この場合にキートップ１２をキー配置孔２ｂに応じて三角形や四角形に形成することにより、キートップ１２がキー配置孔２ｂの角部に移動されたときにキートップ１２をキー配置孔２ｂにおいて位置決めすることが可能である（図１６及び図１７に示す実線で示すキートップ参照）。このようにキートップ１２が位置決めされることにより、操作性が向上すると共にキートップ１２が確実に必要な位置に移動されて動作の信頼性の向上を図ることができる。
【０１４６】
さらにまた、ハウジング１１の上面とキートップ１２の下面とをそれぞれ球面状に形成することにより、キートップ１２が球面に沿う方向へ移動されるように構成することが可能である（図１８参照）。このように構成された場合には、キートップ１２の移動位置や移動方向等がホール素子１６、１６、１６によって検出されてキートップ１２の操作に応じた所定の処理が実行される。
【０１４７】
また、キー配置孔２ｂが、例えば、所定の方向へ延びる直線状に形成された場合において、キートップ１２が初期位置を基準としてキー配置孔２ｂの延びる２方向へ移動されるように構成することが可能である（図１９及び図２０参照）。尚、図１９及び図２０に示した操作装置５０の例は、可動側マグネット２３のＮ極とＳ極が左右方向に着磁されている。また、ハウジング１１の中心孔は素子配置孔１１ｃとして形成され、素子配置孔１１ｃにホール素子１６が配置されている。
【０１４８】
このような構成において、例えば、被押圧操作部１９を設けない場合には、ホール素子１６をハウジング１１の中央部に一つのみ設け、キートップ１２の移動方向においてホール素子１６を挟んで反対側に二つの球体１５、１５を配置すればよい。従って、簡素な構造の操作装置５０を構成することができる。
【０１４９】
このように構成された場合には、キートップ１２の移動位置や移動方向等がホール素子１６、１６によって検出されてキートップ１２の操作に応じた所定の処理が実行される。キートップ１２はキー配置孔２ｂの両端部において位置決めされるため、操作性が向上すると共にキートップ１２が確実に必要な位置に移動されて動作の信頼性の向上を図ることができる。
【０１５０】
また、上記のようなキートップ１２が２方向へ移動される構成とすることにより、キー配置孔２ｂの長手方向に延びる開口縁２ｃ、２ｃをそれぞれキートップ１２の倒れを防止する案内部として形成することができる。
【０１５１】
［操作装置の変形例］
以下に、操作装置の第１の変形例、第２の変形例、第３の変形例及び第４の変形例について説明する（図２１乃至図２７参照）。
【０１５２】
尚、以下に示す各変形例については、磁性体に結合されたヨーク部材が設けられていてもよいが、以下には、ヨーク部材が設けられていない構成で示す。
【０１５３】
先ず、第１の変形例について説明する（図２１参照）。
【０１５４】
以下に示す第１の変形例に係る操作装置は、上記した操作装置５０と比較して、一部の部材の配置位置が異なることのみが相違するため、操作装置５０と比較して異なる部分についてのみ詳細に説明をし、その他の部分については操作装置５０における同様の部分に付した符号と同じ符号を付して説明は省略する。
【０１５５】
第１の変形例に係る操作装置５０Ａは回路基板１０の上面１０ａ側に配置された各部によって構成され、ハウジング１１Ａとキートップ１２と磁性体１３Ａを有している。
【０１５６】
ハウジング１１Ａは略円環状に形成され、回路基板１０の上面１０ａ側に配置されている。ハウジング１１Ａの中心孔は挿通孔１１ａとして形成されている。ハウジング１１Ａの外周部には上方に開口された配置用凹部１１ｂ、１１ｂ、１１ｂが形成され、配置用凹部１１ｂ、１１ｂ、１１ｂは周方向に等間隔に離隔して位置されている。
【０１５７】
ハウジング１１Ａの配置用凹部１１ｂ、１１ｂ、１１ｂにはそれぞれ磁性材料によって形成された球体１５、１５、１５が転動可能な状態で配置されている。球体１５は配置用凹部１１ｂにおいて転動され任意の方向へ移動可能とされており、一部が配置用凹部１１ｂから上方へ突出されている。
【０１５８】
磁性体１３Ａは回路基板１０の上面１０ａに取り付けられ、磁性体１３Ａの上面にハウジング１１Ａが取り付けられている。磁性体１３Ａとしてはマグネット又は鉄等の磁性材料が用いられている。磁性体１３Ａは円環状に形成されている。
【０１５９】
磁性体１３Ａの中心孔はバネ配置孔１３ｅとして形成されている。磁性体１３Ａには周方向に離隔して素子配置孔１３ｆ、１３ｆ、１３ｆとマグネット配置孔１３ｇ、１３ｇ、１３ｇが交互に形成されている。素子配置孔１３ｆ、１３ｆ、１３ｆにはそれぞれホール素子１６、１６、１６が配置され、マグネット配置孔１３ｇ、１３ｇ、１３ｇにはそれぞれ位置決め用マグネット１７、１７、１７が配置されている。位置決め用マグネット１７、１７、１７はそれぞれハウジング１１Ａの配置用凹部１１ｂ、１１ｂ、１１ｂの真下に位置されている。
【０１６０】
磁性体１３Ａはバネ配置孔１３ｅの中心軸が挿通孔１１ａの中心軸に一致された状態でハウジング１１Ａの下側に配置されている。
【０１６１】
上記したように、操作装置５０Ａにあっては、回路基板１０の上面１０ａ側に各部が配置されて構成されているため、回路基板１０の下面１０ｂ側のスペースを電子機器１の他の部品の配置スペースとして有効に活用することができる。
【０１６２】
次に、第２の変形例について説明する（図２２参照）。
【０１６３】
以下に示す第２の変形例に係る操作装置は、上記した操作装置５０と比較して、ハウジングが設けられていないこと及び一部の部材の配置位置が異なることのみが相違するため、操作装置５０と比較して異なる部分についてのみ詳細に説明をし、その他の部分については操作装置５０における同様の部分に付した符号と同じ符号を付して説明は省略する。
【０１６４】
第２の変形例に係る操作装置５０Ｂは回路基板１０の上面１０ａ側に配置された各部によって構成され、キートップ１２と磁性体１３Ｂを有している。操作装置５０Ｂにはハウジングが設けられていない。
【０１６５】
磁性体１３Ｂは略円環状に形成され、回路基板１０の上面１０ａに取り付けられている。磁性体１３Ｂとしてはマグネット又は鉄等の磁性材料が用いられている。磁性体１３Ｂの中心孔はバネ配置孔１３ｈとして形成されている。磁性体１３Ｂの外周部には上方に開口された配置用凹部１３ｉ、１３ｉ、１３ｉが形成され、配置用凹部１３ｉ、１３ｉ、１３ｉは周方向に等間隔に離隔して位置されている。
【０１６６】
磁性体１３Ｂの配置用凹部１３ｉ、１３ｉ、１３ｉにはそれぞれ磁性材料によって形成された球体１５、１５、１５が転動可能な状態で配置されている。球体１５は配置用凹部１３ｉにおいて転動され任意の方向へ移動可能とされており、一部が配置用凹部１３ｉから上方へ突出されている。
【０１６７】
磁性体１３Ｂの内周部には上下に貫通された素子配置孔１３ｊ、１３ｊ、１３ｊが形成され、素子配置孔１３ｊ、１３ｊ、１３ｊは周方向に等間隔に離隔して位置されている。配置用凹部１３ｉ、１３ｉ、１３ｉと素子配置孔１３ｊ、１３ｊ、１３ｊは周方向において交互に等間隔に位置されている。素子配置孔１３ｊ、１３ｊ、１３ｊにはそれぞれホール素子１６、１６、１６が配置されている。
【０１６８】
磁性体１３Ｂの外周部には配置用凹部１３ｉ、１３ｉ、１３ｉの真下の位置にそれぞれ取付凹部１３ｋ、１３ｋ、１３ｋが形成され、取付凹部１３ｋ、１３ｋ、１３ｋは下方及び外方に開口されている。取付凹部１３ｋ、１３ｋ、１３ｋにはそれぞれ位置決め用マグネット１７、１７、１７が取り付けられている。
【０１６９】
上記したように、操作装置５０Ｂにあっては、回路基板１０の上面１０ａ側に各部が配置されて構成されているため、回路基板１０の下面１０ｂ側のスペースを電子機器１の他の部品の配置スペースとして有効に活用することができる。
【０１７０】
また、操作装置５０Ｂにあっては、磁性体１３Ｂが回路基板１０に取り付けられ、磁性体１３Ｂにホール素子１６、１６、１６がそれぞれ配置される素子配置孔１３ｊ、１３ｊ、１３ｊが形成されているため、ハウジングが不要になり、操作装置５０Ｂの部品点数の削減による構造の簡素化及び薄型化を図ることができる。
【０１７１】
さらに、操作装置５０Ｂにあっては、磁性体１３Ｂが回路基板１０に取り付けられ、磁性体１３Ｂに板バネ１４が配置されるバネ配置孔１３ｈが形成されているため、ハウジングが不要になり、操作装置５０Ｂの部品点数の削減による構造の簡素化及び薄型化を図ることができる。
【０１７２】
尚、操作装置５０Ｂにおいて、図２３に示すように、キートップ１２の被操作体１８の下端部に下方に開口された挿入用凹部１８ｂ、１８ｂ、１８ｂを周方向に離隔して形成し、挿入用凹部１８ｂ、１８ｂ、１８ｂにそれぞれ球体１５、１５、１５の一部を挿入して配置することもが可能である。
【０１７３】
このような球体１５、１５、１５の一部が挿入される挿入用凹部１８ｂ、１８ｂ、１８ｂをキートップ１２に形成することにより、挿入用凹部１８ｂ、１８ｂ、１８ｂの深さ分だけキートップ１２を回路基板１０に近付けることが可能になり、操作装置５０Ｂの一層の薄型化を図ることができる。
【０１７４】
尚、上記のような挿入用凹部１８ｂ、１８ｂ、１８ｂは、上記した操作装置５０、５０Ａにおいても形成することができる。操作装置５０、５０Ａに挿入用凹部１８ｂ、１８ｂ、１８ｂを形成した場合には、操作装置５０、５０Ａの薄型化が図られる。
【０１７５】
次に、第３の変形例について説明する（図２４及び図２５参照）。
【０１７６】
以下に示す第３の変形例に係る操作装置は、上記した操作装置５０と比較して、ハウジングが設けられていないこと、一部の部材の配置位置及び構成が異なることのみが相違するため、操作装置５０と比較して異なる部分についてのみ詳細に説明をし、その他の部分については操作装置５０における同様の部分に付した符号と同じ符号を付して説明は省略する。
【０１７７】
第３の変形例に係る操作装置５０Ｃは回路基板１０の上面１０ａ側と下面側５ｂにそれぞれ配置された各部によって構成され、キートップ１２と磁性体１３Ｃを有している。操作装置５０Ｃにはハウジングが設けられていない。
【０１７８】
磁性体１３Ｃは略円環状に形成され、回路基板１０の上面１０ａに取り付けられている。磁性体１３Ｃとしてはマグネット又は鉄等の磁性材料が用いられている。磁性体１３Ｃの中心孔は図示しないバネ配置孔として形成されている。磁性体１３Ｃの外周部には上下に貫通された配置孔１３ｌ、１３ｌ、１３ｌが形成され、配置孔１３ｌ、１３ｌ、１３ｌは周方向に等間隔に離隔して位置されている。
【０１７９】
磁性体１３Ｃの配置孔１３ｌ、１３ｌ、１３ｌにはそれぞれ磁性材料によって形成された球体１５、１５、１５が回路基板１０Ｃの上面１０ａ上において転動可能な状態で配置されている。球体１５は配置孔１３ｌにおいて転動され任意の方向へ移動可能とされており、一部が配置孔１３ｌから上方へ突出されている。
【０１８０】
回路基板１０Ｃは配置孔１３ｌ、１３ｌ、１３ｌが存在する部分がそれぞれ球体用配置部１０ｃ、１０ｃ、１０ｃとして形成され、球体用配置部１０ｃ、１０ｃ、１０ｃにそれぞれ同心円状のパターン１０ｄ、１０ｄ、・・・が形成されている。パターン１０ｄ、１０ｄ、・・・は電気的な接続パターンとしては形成されておらず、球体１５、１５、１５の転動時に球体１５、１５、１５及びキートップ１２を微少に上下動させるために機能する部分として形成されている。
【０１８１】
磁性体１３Ｃの内周部には上下に貫通された図示しない複数の素子配置孔が形成され、素子配置孔は周方向に等間隔に離隔して位置されている。配置孔１３ｌ、１３ｌ、１３ｌと複数の素子配置孔は周方向において交互に等間隔に位置されている。素子配置孔にはそれぞれホール素子１６、１６、１６が配置されている。
【０１８２】
回路基板１０Ｃの下面１０ｂには配置孔１３ｌ、１３ｌ、１３ｌの真下の位置にそれぞれ位置決め用マグネット１７、１７、１７が取り付けられている。
【０１８３】
操作装置５０Ｃにおいてキートップ１２の被操作体１８が操作されて球体１５が転動されると、球体１５のパターン１０ｄに乗り上げられる動作（図２４参照）とパターン１０ｄ、１０ｄ間に落とし込まれる動作（図２５参照）とが繰り返し交互に行われる。従って、キートップ１２が微少に上下動され、この上下動が操作者の指１００に操作感（クリック感）として伝達される。
【０１８４】
このように操作装置５０Ｃにあっては、回路基板１０Ｃに同心円状のパターン１０ｄ、１０ｄ、・・・が形成されることにより、操作者の指１００に球体１５、１５、１５及びキートップ１２を介して操作感が伝達され、操作者において良好な操作感覚を得ることができる。
【０１８５】
次に、第４の変形例について説明する（図２６参照）。
【０１８６】
以下に示す第４の変形例に係る操作装置は、上記した操作装置５０と比較して、回路基板が磁性体としても設けられ回路基板の下面側に磁性体が配置されていないことのみが相違するため、操作装置５０と比較して異なる部分についてのみ詳細に説明をし、その他の部分については操作装置５０における同様の部分に付した符号と同じ符号を付して説明は省略する。
【０１８７】
第４の変形例に係る操作装置５０Ｄは回路基板１０の上面１０ａ側に配置された各部によって構成され、ハウジング１１とキートップ１２と磁性体１３Ｄを有している。
【０１８８】
操作装置５０Ｄにあっては、磁性体１３Ｄが回路基板１０Ｄのベース部分として設けられている。即ち、回路基板１０Ｄは回路パターンが形成される土台として用いられるベース部分が磁性材料によって形成されて磁性体１３Ｄとして設けられ、磁性体１３Ｄ上に非導電性のレジストが塗布され、このレジスト上に回路パターンが形成されている。
【０１８９】
従って、操作装置５０Ｄにあっては、回路基板１０Ｄが磁性体１３Ｄとしても機能する構成にされている。
【０１９０】
このように操作装置５０Ｄにあっては、磁性体１３Ｄが回路基板１３Ｄとしても設けられているため、部品点数が少なく、小型化及び構造の簡素化を図ることができる。
【０１９１】
次に、第５の変形例について説明する（図２７参照）。
【０１９２】
以下に示す第５の変形例に係る操作装置は、上記した操作装置５０と比較して、一部の構成や配置位置が異なることのみが相違するため、操作装置５０と比較して異なる部分についてのみ詳細に説明をし、その他の部分については操作装置５０における同様の部分に付した符号と同じ符号を付して説明は省略する。
【０１９３】
第５の変形例に係る操作装置５０Ｅは回路基板１０Ｅの上面１０ａと下面１０ｂの両面側に所要の各部が配置されて構成されている。
【０１９４】
回路基板１０Ｅには凸部配置孔１０ｅが形成されている。
【０１９５】
操作装置５０Ｅはハウジング１１とキートップ１２Ｅと磁性体１３Ｅを有している。尚、操作装置５０Ｅには板バネ１４は配置されていない。
【０１９６】
ハウジング１１は略円環状に形成され、中心孔が素子配置孔１１ｃとして形成されている。ハウジング１１の素子配置孔１１ｃにはホール素子１６が配置され、ホール素子１６は回路基板１０Ｅの凸部配置孔１０ｅの真上に位置されている。
【０１９７】
キートップ１２Ｅは被操作体１８Ｅによって構成され、被操作体１８Ｅは被操作部２０とマグネット取付部２１から成る。
【０１９８】
マグネット取付部２１にはヨーク２２と可動側マグネット２３Ｅが上下に結合された状態で取り付けられている。可動側マグネット２３ＥはＮ極とＳ極が上下方向、即ち、可動側マグネット２３Ｅと磁性体１３Ｅが並ぶ方向と同じ方向に着磁されている。尚、可動マグネット２３Ｅには被押圧操作部１９が設けられていない。
【０１９９】
キートップ１２Ｅは被操作部２０が筐体２に形成されたキー配置孔２ｂに挿入されて配置され、被操作体１８Ｅの下面２１ａが球体１５、１５、１５に上方から接した状態とされている。
【０２００】
磁性体１３Ｅは回路基板１０Ｅの下面１０ｂに取り付けられている。磁性体１３Ｅとしてはマグネット又は鉄等の磁性材料が用いられている。磁性体１３Ｅは上下方向を向く板状のベース部１３ａとベース部１３ａの中央部から上方へ突出された凸部１３ｂとから成り、凸部１３ｂが凸部配置孔１０ｅに下方から挿入された状態で回路基板１０Ｅに取り付けられている。
【０２０１】
磁性体１３Ｅとしてマグネットが用いられている場合には、磁性体１３Ｅは、例えば、上下方向においてＮ極とＳ極に着磁され、上側の極が可動側マグネット２３Ｅの下側の極と異なる極に着磁されている。
【０２０２】
可動側マグネット２３Ｅと磁性体１３Ｅは上下方向において対向した位置に存在し、両者の間には吸着力が発生する。
【０２０３】
磁性体１３Ｅは可動側マグネット２３Ｅ側へ突出された凸部１３ｂを有しているため、可動側マグネット２３Ｅによって発生し凸部１３ｂを横切る磁束の密度が高く、凸部１３ｂにおいて可動側マグネット２３Ｅを引き寄せる力が最も大きくされている。
【０２０４】
操作装置５０Ｅが操作される前の状態においては、キートップ１２Ｅは可動側マグネット２３Ｅの中心部が磁性体１３Ｅの凸部１３ｂの真上に存在する初期位置にある。
【０２０５】
キートップ１２Ｅが操作されて移動されると吸着力によって可動側マグネット２３Ｅが磁性体１３Ｅに引き寄せられる。このとき磁性体１３Ｅには凸部１３ｂが設けられているため、キートップ１２Ｅに対する操作が終了すると、可動側マグネット２３Ｅを引き寄せる力が最も大きくされた凸部１３ｂに可動側マグネット２３Ｅの中心部が最も接近するようにキートップ１２Ｅが移動される。
【０２０６】
従って、キートップ１２Ｅは可動側マグネット２３Ｅの中心部が磁性体１３Ｅの凸部１３ｂの真上に位置されて再び初期位置に戻る。
【０２０７】
上記したように、操作装置５０Ｅにおいては、キートップ１２Ｅに対する操作を解除したときにキートップ１２Ｅを操作前の位置に確実に戻すことができる。
【０２０８】
また、操作装置５０Ｅにおいては、ホール素子１６が可動側マグネット２３Ｅと磁性体１３Ｅの間において磁性体１３Ｅの凸部１３ｂの真上に位置されている。
【０２０９】
従って、可動側マグネット２３Ｅによって発生する密度の高い磁束がホール素子１６を横切るため、ホール素子１６の検出感度が向上し、ホール素子１６によるキートップ１２Ｅの周方向における位置や移動方向等の検出精度の向上を図ることができる。
【０２１０】
［その他］
上記には、キートップ１２が球体１５、１５、１５に接した状態で被操作体１８が操作される例を示したが、例えば、図２８に示すように、球体１５、１５、１５を設けることなく、キートップ１２をハウジング１１又は磁性体１３Ａ、１３Ｂ、１３Ｃ、１３Ｄに摺動させて操作されるように構成することも可能である。
【０２１１】
このような球体１５、１５、１５を設けない構成においては、キートップ１２とハウジング１１又は磁性体１３Ａ、１３Ｂ、１３Ｃ、１３Ｄとの隙間が不要になり、その分、操作装置５０、５０Ａ、５０Ｂ、５０Ｃ、５０Ｄの薄型化を図ることができる。
【０２１２】
また、上記した操作装置５０、５０Ａ、５０Ｂ、５０Ｃ、５０Ｄにおいて示した球体１５及びホール素子１６の数は一例であり、両者の数はそれぞれ任意である。
【０２１３】
［まとめ］
以上に記載した通り、操作装置５０、５０Ａ、５０Ｂ、５０Ｃ、５０Ｄにあっては、可動側マグネット２３との間で発生する吸着力によってキートップ１２に対して初期位置に移動させる方向への力を付与する磁性体１３、１３Ａ、１３Ｂ、１３Ｃ、１３Ｄと、回路基板１０、１０Ｃ、１０Ｄに搭載され可動側マグネット２３において発生する磁界によりキートップ１２の移動状態を検出するホール素子１６とが設けられている。
【０２１４】
従って、キートップ１２の被操作体１８に対する操作が終了したときにキートップ１２を初期位置に確実に戻すことができ、構造の簡素化を確保した上で動作の信頼性の向上を図ることができる。
【０２１５】
［本技術］
本技術は、以下のような構成とすることができる。
【０２１６】
（１）電子機器の筐体に形成されたキー配置孔に一部が挿入されて配置され操作時に初期位置を基準として所定の方向へ移動可能とされたキートップと、前記キートップに取り付けられた可動側マグネットと、前記可動側マグネットに対向した状態で固定され前記可動側マグネットとの間で発生する吸着力によって前記キートップに対して前記初期位置に移動させる方向への力を付与する磁性体と、前記可動側マグネットによって発生する磁界により前記キートップの移動状態を検出するホール素子と、前記ホール素子が搭載された回路基板とを備えた操作装置。
【０２１７】
（２）前記磁性体に前記ホール素子が接続される回路パターンが形成され、前記磁性体が前記回路基板として設けられた前記（１）に記載の操作装置。
【０２１８】
（３）前記キー配置孔の軸方向に直交する面内において離隔して位置され前記キートップと前記磁性体の間で転動可能な複数の球体が配置され、前記キートップが前記複数の球体に押し付けられた状態で前記所定の方向へ移動され、前記複数の球体が前記キートップの移動に伴って転動されるようにした前記（１）又は前記（２）に記載の操作装置。
【０２１９】
（４）前記キートップ側に開口され前記複数の球体がそれぞれ配置される配置用凹部が形成された前記（３）に記載の操作装置。
【０２２０】
（５）前記球体が磁性材料によって形成され、前記球体を前記配置用凹部に位置決めする位置決め用マグネットが設けられた前記（４）に記載の操作装置。
【０２２１】
（６）前記複数の球体及び前記位置決め用マグネットが前記直交する面内において前記可動側マグネット及び前記磁性体の外側又は内側に配置された前記（５）に記載の操作装置。
【０２２２】
（７）前記磁性体が前記回路基板に取り付けられ、前記磁性体に素子配置孔が形成され、前記素子配置孔に前記ホール素子が配置された前記（１）から前記（６）の何れかに記載の操作装置。
【０２２３】
（８）前記キートップに前記球体側に開口された挿入用凹部が形成され、前記配置用凹部に前記球体の少なくとも一部が挿入された前記（３）から前記（７）の何れかに記載の操作装置。
【０２２４】
（９）前記回路基板の一部が、前記球体が配置される球体用配置部として形成され、前記球体用配置部に同心円状のパターンが形成された前記（３）から前記（８）の何れかに記載の操作装置。
【０２２５】
（１０）前記キートップが前記キー配置孔の軸方向に直交する方向へ移動可能とされた被操作体と前記被操作体に前記キー配置孔の軸方向へ移動可能に支持された被押圧操作部とによって構成され、前記被押圧操作部は操作が行われないときの非操作位置と操作されて所定の処理が実行されるときの操作位置との間で移動され、前記被押圧操作部が押圧されて前記操作位置に移動されたときに前記被操作体が操作されたときに実行される処理と異なる処理が実行されるようにした前記（１）から前記（９）の何れかに記載の操作装置。
【０２２６】
（１１）前記回路基板上に複数の接続端子が形成され、前記回路基板上に導電性を有する板バネが配置され、前記被押圧操作部が操作されたときに前記板バネが弾性変形されて前記複数の接続端子に接触され前記板バネを介して前記複数の接続端子同士の接続が行われ、前記被押圧操作部に対する操作が解除されたときに前記板バネが弾性復帰されて前記複数の接続端子同士の接続が解除されると共に前記板バネによって前記被押圧操作部が前記非操作位置に移動されるようにした前記（１０）に記載の操作装置。
【０２２７】
（１２）前記磁性体が前記回路基板に取り付けられ、前記磁性体にバネ配置孔が形成され、前記バネ配置孔に前記板バネが配置された前記（１１）に記載の操作装置。
【０２２８】
（１３）前記磁性体に前記可動側マグネット側へ突出された凸部が設けられ、前記可動側マグネットのＮ極とＳ極が前記可動側マグネットと前記磁性体が並ぶ方向と同じ方向に着磁された前記（１）から前記（１２）に記載の操作装置。
【０２２９】
（１４）前記可動側マグネットと前記磁性体を円環状に形成した前記（１）から前記（１２）の何れかに記載の操作装置。
【０２３０】
（１５）前記可動側マグネットは異なる極が周方向において交互に着磁され、前記磁性体として異なる極が周方向において交互に着磁されたマグネットを用いた前記（１）から前記（１４）の何れかに記載の操作装置。
【０２３１】
（１６）キー配置孔が形成された筐体と、前記キー配置孔に一部が挿入されて配置され操作時に初期位置を基準として所定の方向へ移動可能とされたキートップと、前記キートップに取り付けられた可動側マグネットと、前記可動側マグネットに対向した状態で固定され前記可動側マグネットとの間で発生する吸着力によって前記キートップに対して前記初期位置に移動させる方向への力を付与する磁性体と、前記可動側マグネットによって発生する磁界により前記キートップの移動状態を検出するホール素子と、前記ホール素子が搭載された回路基板とを備えた電子機器。
【０２３２】
上記した技術の最良の形態において示した各部の具体的な形状及び構造は、何れも本技術を実施する際の具体化のほんの一例を示したものにすぎず、これらによって本技術の技術的範囲が限定的に解釈されることがあってはならないものである。
【図面の簡単な説明】
【０２３３】
【図１】図２乃至図２８共とに本技術操作装置及び電子機器を示すものであり、本図は、電子機器の平面図である。
【図２】操作装置の分解斜視図である。
【図３】操作装置の拡大断面図である。
【図４】操作装置の拡大平面図である。
【図５】可動側マグネットと磁性体を示す拡大斜視図である。
【図６】可動側マグネットと孔が形成された磁性体の例を示す拡大斜視図である。
【図７】可動側マグネットと突部が設けられた磁性体の例を示す拡大斜視図である。
【図８】可動側マグネットと複数の部材から成る磁性体の例を示す拡大斜視図である。
【図９】複数の部材から成る可動側マグネットと磁性体の例を示す拡大斜視図である。
【図１０】複数の部材から成る可動側マグネットと複数の部材から成る磁性体の例を示す拡大斜視図である。
【図１１】初期位置における各部の位置を示す概略平面図である。
【図１２】キートップの被操作体が操作されたときの状態を示す拡大断面図である。
【図１３】キートップの被押圧操作部が操作されたときの状態を示す拡大断面図である。
【図１４】キートップがキー配置孔の形状に沿って周方向へ移動されるように構成された例を示す拡大平面図である。
【図１５】キートップが初期位置において回転されるように構成された例を示す拡大平面図である。
【図１６】キートップとキー配置孔が三角形状に形成された例を示す拡大平面図である。
【図１７】キートップとキー配置孔が四角形状に形成された例を示す拡大平面図である。
【図１８】キートップが球面に沿う方向へ移動されるように構成された例を示す拡大断面図である。
【図１９】キートップが２方向に移動されるように構成された例を示す拡大平面図である。
【図２０】キートップが２方向に移動されるように構成された例を示す拡大断面図である。
【図２１】各部が回路基板の一方の面側に配置された第１の変形例に係る操作装置を示す拡大断面図である。
【図２２】ハウジングが設けられていない第２の変形例に係る操作装置を示す拡大断面図である。
【図２３】第２の変形例に係る操作装置においてキートップに挿入用凹部が形成された例を示す拡大断面図である。
【図２４】図２５と共に回路基板に球体が接触されるパターンが形成された第３の変形例に係る操作装置を示すものであり、本図は、球体がパターンに乗り上げられた状態を示す拡大断面図である。
【図２５】球体がパターンとパターンの間に落とし込まれた状態を示す拡大断面図である。
【図２６】回路基板が磁性体として設けられた第４の変形例に係る操作装置を示す拡大断面図である。
【図２７】凸部が設けられた磁性体を有する第５の変形例に係る操作装置を示す拡大断面図である。
【図２８】キートップがハウジングに摺動されて操作される操作装置を示す拡大断面図である。
【符号の説明】
【０２３４】
１…電子機器、２…筐体、２ｂ…キー配置孔、５０…操作装置、１０…回路基板、１１ｂ…配置用凹部、１２…キートップ、１３…磁性体、１４…板バネ、１５…球体、１６…ホール素子、１７…位置決め用マグネット、１８…被操作体、１９…被押圧操作部、２３…可動側マグネット、５０Ａ…操作装置、１３Ａ…磁性体、１３a…凸部、５０Ｂ…操作装置、１３Ｂ…磁性体、１３ｈ…バネ配置孔、１３ｊ…素子配置孔、１８ｂ…挿入用凹部、１０Ｃ…回路基板、１０ｃ…球体用配置部、１０ｄ…パターン、５０Ｃ…操作装置、１３Ｃ…磁性体、１０Ｄ…回路基板、１３Ｄ…磁性体、５０Ｄ…操作装置、１０Ｅ…回路基板、１２Ｅ…キートップ、１３Ｅ…磁性体、１３ｂ…凸部、１８Ｅ…被操作体、２３Ｅ…可動側マグネット、５０Ｅ…操作装置
【図１】
2013033705.tif 000003
【図２】
2013033705.tif 000004
【図３】
2013033705.tif 000005
【図４】
2013033705.tif 000006
【図５】
2013033705.tif 000007
【図６】
2013033705.tif 000008
【図７】
2013033705.tif 000009
【図８】
2013033705.tif 000010
【図９】
2013033705.tif 000011
【図１０】
2013033705.tif 000012
【図１１】
2013033705.tif 000013
【図１２】
2013033705.tif 000014
【図１３】
2013033705.tif 000015
【図１４】
2013033705.tif 000016
【図１５】
2013033705.tif 000017
【図１６】
2013033705.tif 000018
【図１７】
2013033705.tif 000019
【図１８】
2013033705.tif 000020
【図１９】
2013033705.tif 000021
【図２０】
2013033705.tif 000022
【図２１】
2013033705.tif 000023
【図２２】
2013033705.tif 000024
【図２３】
2013033705.tif 000025
【図２４】
2013033705.tif 000026
【図２５】
2013033705.tif 000027
【図２６】
2013033705.tif 000028
【図２７】
2013033705.tif 000029
【図２８】
2013033705.tif 000030